(57)【要約】【課題】ビーム角の調整を行うことができるとともに、光の分布が安定したＬＥＤ照明灯を提供する。【解決手段】複数のＬＥＤ１２を配設したＬＥＤ基板１１と、該ＬＥＤ基板１１を覆う筒状のカバー２０と、を備えた直管形のＬＥＤ照明灯１０であって、前記カバー２０は光透過部２５ｂを備え、前記光透過部２５ｂは偏肉部２５ｃを備えている。偏肉部２５は、例えば、下部外周の中心Ｐ２が下部内周の中心Ｐ１よりも上方に設定されるとともに、下部外周の径Ｒ２が下部内周の径Ｒ１よりも大径に設定されることで形成される。【選択図】図５
2013214390.tif 000002
【特許請求の範囲】
【請求項１】
複数のＬＥＤを配設したＬＥＤ基板と、
該ＬＥＤ基板を覆う筒状のカバーと、
を備えた直管形のＬＥＤ照明灯であって、
前記カバーは光透過部を備え、前記光透過部は偏肉部を備えていることを特徴とする、ＬＥＤ照明灯におけるビーム角調整構造。
【請求項２】
前記光透過部は、下部外周の中心が下部内周の中心よりも上方に設定されるとともに、下部外周の径が下部内周の径よりも大径に設定されることで、偏肉部を形成していることを特徴とする、請求項１記載のＬＥＤ照明灯におけるビーム角調整構造。
【請求項３】
前記光透過部は、下部外周の中心が下部内周の中心よりも下方に設定されるとともに、下部外周の径が下部内周の径よりも小径に設定されることで、偏肉部を形成していることを特徴とする、請求項１記載のＬＥＤ照明灯におけるビーム角調整構造。
【発明の詳細な説明】
【技術分野】
【０００１】
この発明は、直管形のＬＥＤ照明灯におけるビーム角調整構造に関するものである。
【背景技術】
【０００２】
近年、既存の蛍光灯と構造的に互換性のあるＬＥＤ照明灯が提案されている（例えば特許文献１参照）。
【０００３】
こうしたＬＥＤ照明灯は、円筒状に形成されて外形状は従来の蛍光灯と同様となっており、内部にＬＥＤ基盤が収容され、ポリカーボネート等で形成した光を透過するカバーによって覆われている。こうしたカバーに光拡散材を混合することも一般に行われている。
【先行技術文献】
【特許文献】
【０００４】
【特許文献１】特開２０１１−２１０７２９号公報
【発明の概要】
【発明が解決しようとする課題】
【０００５】
こうしたＬＥＤ照明灯において、ビーム角の調整を行う方法としては、カバーにシリカゲルレンズ状の複数のリブを設ける方法が存在する。しかしながら、カバーに複数のリブを設ける態様では、照明エリアに斑ができてしまうという問題がある。
【０００６】
そこで、本発明は、ビーム角の調整を行うことができるとともに、光の分布が安定したＬＥＤ照明灯を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のＬＥＤ照明灯におけるビーム角調整構造は、複数のＬＥＤを配設したＬＥＤ基板と、該ＬＥＤ基板を覆う筒状のカバーと、を備えた直管形のＬＥＤ照明灯であって、前記カバーは光透過部を備え、前記光透過部は偏肉部を備えていることを特徴とする。
【００１０】
（請求項２）
請求項２に記載の発明は、上記した請求項１記載の発明の特徴点に加え、以下の点を特徴とする。
【００１１】
すなわち、前記光透過部は、下部外周の中心が下部内周の中心よりも上方に設定されるとともに、下部外周の径が下部内周の径よりも大径に設定されることで、偏肉部を形成していることを特徴とする。
【００１２】
（請求項３）
請求項３に記載の発明は、上記した請求項１記載の発明の特徴点に加え、以下の点を特徴とする。
【００１３】
すなわち、前記光透過部は、下部外周の中心が下部内周の中心よりも下方に設定されるとともに、下部外周の径が下部内周の径よりも小径に設定されることで、偏肉部を形成していることを特徴とする。
【発明の効果】
【００１４】
本発明は上記の通りであり、カバーの光透過部が偏肉部を備えているので、この偏肉部によってビーム角の調整を行うことができる。また、表面形状がなだらかであるので、照明エリアに斑ができづらく、光の分布を安定させることができる。
【００１５】
なお、偏肉部を形成するには、例えば、前記光透過部の下部外周の中心を下部内周の中心よりも上方に設定するとともに、下部外周の径を下部内周の径よりも大径に設定してもよい。このようにすれば、ビーム角を広げることができる。
【００１６】
また、偏肉部を形成するには、例えば、前記光透過部の下部外周の中心を下部内周の中心よりも下方に設定するとともに、下部外周の径を下部内周の径よりも小径に設定してもよい。このようにすれば、ビーム角を狭めることができる。
【図面の簡単な説明】
【００１７】
【図１】ＬＥＤ照明灯の（ａ）正面図、（ｂ）中間部を省略した側面図である。
【図２】ＬＥＤ照明灯を上から見た一部拡大分解図である。
【図３】ＬＥＤ照明灯を下から見た一部拡大分解図である。
【図４】ＬＥＤ照明灯のＡ−Ａ断面図である。
【図５】光が拡散する様子を示すＬＥＤ照明灯のＡ−Ａ断面図である。
【図６】光拡散カバーの正面図である。
【図７】変形例に係る光拡散カバーの正面図である。
【発明を実施するための形態】
【００１８】
本実施形態に係るＬＥＤ照明灯１０は、図１に示すように、従来の蛍光灯と構造的に互換性のある直管形の照明灯であり、従来の蛍光灯用の灯具本体に接続可能となっている。
【００１９】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。このＬＥＤ照明灯１０は、従来の蛍光灯と同様に、両端のソケット３０が灯具本体の接続部に取り付けられ、この接続部を介して電力が供給されることで点灯する。
【００２０】
（ＬＥＤ基板１１）
ＬＥＤ基板１１は、図３等に示すように、複数のＬＥＤ１２を表面に実装した基盤である。このＬＥＤ基板１１には、ＬＥＤ１２に対して供給する電気を蓄えたコンデンサ１３も実装されている。
【００２１】
（制御基板４０）
制御基板４０は、図２等に示すように、ＬＥＤ基板１１上の複数のＬＥＤ１２のオン・オフを切り替えるためのトランジスタ等が実装された基板である。特に図示しないが、この制御基板４０は、外部から供給された電力を制御するための制御回路を備えており、この制御回路を介してＬＥＤ基板１１へと電力を供給する。
【００２２】
（カバー２０）
カバー２０は、図２、３等に示すように、ＬＥＤ基板１１を下方に向けて支持する支持部材としての放熱パイプ２１と、放熱パイプ２１の下側に固定される光拡散カバー２５と、を備えている。このカバー２０は、光拡散カバー２５と放熱パイプ２１とが接合されると全体として円筒形状を形成する。
【００２３】
（放熱パイプ２１）
放熱パイプ２１は、アルミ製の押し出し型材であり、図２〜４に示すように、略半月状のパイプ部２１ａと、このパイプ部２１ａの下方に一体的に延設された下垂部２１ｂと、を備えている。この放熱パイプ２１は、ＬＥＤ基板１１及び制御基板４０が面接触するように取り付けられ、基板の熱を放熱するためのヒートシンクの役割を果たすようになっている。
【００２４】
略半月状のパイプ部２１ａは、内部が中空となっており、この中空の内部に制御基板４０をスライド挿入できるようになっている。
【００２５】
下垂部２１ｂは、パイプ部２１ａの平坦面から下方に突出しており、カバー２０の長手方向全長に渡って両側に平行に２つ形成されている。この２つの下垂部２１ｂの内側面には、対向する位置に狭持溝２１ｃが形成されており、この狭持溝２１ｃにＬＥＤ基板１１を差し込んでスライドさせることで、ＬＥＤ１２の実装面が下方を向くようにＬＥＤ基板１１を保持できるようになっている。また、２つの下垂部２１ｂの外側面には外溝２１ｄが形成されており、この外溝２１ｄによって光拡散カバー２５を取り付け可能となっている。
【００２６】
（光拡散カバー２５）
光拡散カバー２５は、図２〜４に示すように、略Ｃ字形に形成された樹脂製の押し出し型材である。光拡散カバー２５は、全体が透光性の光透過部２５ｂを構成しており、下方及び側方にＬＥＤ１２の発する光を放出させるように形成されている。
【００２７】
この光拡散カバー２５の両側の開放端部は、内側に鉤状に突出しており、係合爪部２５ａを形成している。この係合爪部２５ａが前述した放熱パイプ２１の外溝２１ｄに差し込まれることにより、光拡散カバー２５は放熱パイプ２１に取り付け可能となっている。光拡散カバー２５を放熱パイプ２１に取り付ける際には、光拡散カバー２５の弾性を利用して両側の係合爪部２５ａが離れる方向に押し広げ、外溝２１ｄに差し込む。これにより、両側の係合爪部２５ａが外溝２１ｄを外から挟み込んで、光拡散カバー２５と放熱パイプ２１とが互いに接合される。
【００２８】
（ソケット３０）
ソケット３０は、カバー２０の両端に冠着される有底円筒状の部材であり、樹脂製の筒部材３１と、この筒部材３１の端部に装着される電極キャップ３２と、を備えている。
【００２９】
筒部材３１は、カバー２０の端部外周に外装されるために筒状に形成されている。
【００３０】
また、電極キャップ３２は、２つのピン３２ａが突出形成された金属製の部材である。ＬＥＤ照明灯１０は、この電極キャップ３２のピン３２ａを灯具本体の接続部に挿入接続することで灯具本体に装着され、このピン３２ａによって自重を支えられるようになっている。
【００３１】
（光拡散カバー２５の偏肉部２５ｃについて）
上述した光拡散カバー２５は、図４に示すように、厚みが一定な同心円形状ではなく、下側左右に偏肉部２５ｃを備えた形状となっており、この偏肉部２５ｃの部分がやや肉厚に形成されている。偏肉部２５ｃは、外周部分がなだらかに突出しており、これにより、図５に示すようにＬＥＤ１２の光を屈折させて拡散できるようになっている。
【００３２】
この偏肉部２５ｃは、図６に示すように、下部外周の中心Ｐ２が下部内周の中心Ｐ１よりも上方に設定されるとともに、下部外周の径Ｒ２が下部内周の径Ｒ１よりも大径に設定されることで形成されている。
【００３３】
本実施形態においては、下部内周の径Ｒ１及び下部外周の径Ｒ２は、「（下部内周の径Ｒ１）×１．３＞（下部外周の径Ｒ２）＞（下部内周の径Ｒ１）×１．１」の式を満たす範囲で設定されており、例えば、下部内周の径Ｒ１が２８ｍｍ、下部外周の径Ｒ２が３２ｍｍに設定されている。
【００３４】
なお、偏肉部２５ｃの形状としては、上記した形状に限らず様々な形状とすることができ、所望のビーム角を得られるように適宜調整すればよい。
【００３５】
例えば、図７に示すように、光拡散カバー２５の下部に肉厚の偏肉部２５ｃを備えた形状としてもよい。この偏肉部２５ｃも、外周部分がなだらかに突出しており、これにより、ＬＥＤ１２の光を屈折させて収斂できるようになっている。
【００３６】
この偏肉部２５ｃは、図７に示すように、下部外周の中心Ｐ２が下部内周の中心Ｐ１よりも下方に設定されるとともに、下部外周の径Ｒ２が下部内周の径Ｒ１よりも小径に設定されることで形成されている。
【００３７】
（まとめ）
本実施形態は上記の通りであり、カバー２０の光透過部２５ｂが偏肉部２５ｃを備えているので、この偏肉部２５ｃによってビーム角の調整を行うことができる。また、表面形状がなだらかであるので、照明エリアに斑ができづらく、光の分布を安定させることができる。
【符号の説明】
【００３８】
１０  ＬＥＤ照明灯
１１  ＬＥＤ基板
１２  ＬＥＤ
１３  コンデンサ
２０  カバー
２１  放熱パイプ（支持部材）
２１ａ  パイプ部
２１ｂ  下垂部
２１ｃ  狭持溝
２１ｄ  外溝
２５  光拡散カバー
２５ａ  係合爪部
２５ｂ  光透過部
２５ｃ  偏肉部
３０  ソケット
３１  筒部材
３２  電極キャップ
３２ａ  ピン
４０  制御基板
Ｐ１  下部内周の中心
Ｐ２  下部外周の中心
Ｒ１  下部内周の径
Ｒ２  下部外周の径
【図１】
2013214390.tif 000003
【図２】
2013214390.tif 000004
【図３】
2013214390.tif 000005
【図４】
2013214390.tif 000006
【図５】
2013214390.tif 000007
【図６】
2013214390.tif 000008
【図７】
2013214390.tif 000009